(57)【要約】【課題】第１ハウジングと第２ハウジングとの嵌合状態を容易に検知することができるコネクタを提供する。【解決手段】コネクタ１において、パネル３に組付けられる第１ハウジング５と、第１ハウジング５に嵌合可能な第２ハウジング７と、第２ハウジング７の外周を覆いパネル３の表面に密着されるリップ部９を有するグロメット１１と、第２ハウジング７に回動可能に組付けられ回動により第１ハウジング５と第２ハウジング７とを嵌合させるレバー１３と、レバー１３に設けられグロメット１１のリップ部９側が組付けられ第１ハウジング５と第２ハウジング７との正規嵌合状態でレバー１３の回動によりリップ部９をパネル３に密着させる取付部１５とを有した。【選択図】図３
2020202018.tif 000002
【特許請求の範囲】
【請求項１】
パネルに組付けられる第１ハウジングと、
前記第１ハウジングに嵌合可能な第２ハウジングと、
前記第２ハウジングの外周を覆い前記パネルの表面に密着されるリップ部を有するグロメットと、
前記第２ハウジングに回動可能に組付けられ回動により前記第１ハウジングと前記第２ハウジングとを嵌合させるレバーと、
前記レバーに設けられ前記グロメットのリップ部側が組付けられ前記第１ハウジングと前記第２ハウジングとの正規嵌合状態で前記レバーの回動により前記リップ部を前記パネルに密着させる取付部と、
を有することを特徴とするコネクタ。
【請求項２】
請求項１記載のコネクタであって、
前記第２ハウジングには、前記グロメットの前記リップ部側が前記取付部に跨って組付けられるフランジ部が設けられ、
前記フランジ部は、前記第１ハウジングと前記第２ハウジングとの正規嵌合状態で前記リップ部を前記パネルに密着させ、
前記取付部は、前記第１ハウジングと前記第２ハウジングとの正規嵌合状態で、前記パネルの平面方向に対して前記フランジ部と直線的に配置されることを特徴とするコネクタ。
【発明の詳細な説明】
【技術分野】
【０００１】
本発明は、コネクタに関する。詳細には、一方のハウジングがパネルに組付けられ、他方のハウジングがグロメットで覆われた状態でハウジング同士が嵌合するコネクタに関する。
【背景技術】
【０００２】
従来、コネクタとしては、パネルに組付けられる第１ハウジングと、第１ハウジングに嵌合可能な第２ハウジングと、第２ハウジングの外周を覆いパネルに密着されるリップ部としての弾性シール片を有するグロメットとを備えたものが知られている（例えば、特許文献１参照）。
【０００３】
このコネクタでは、第２ハウジングの外周に、グロメットを組付けるためのフランジ部が第２ハウジングと一体に設けられ、第１ハウジングがパネルに組付けられ、グロメットが第２ハウジングのフランジ部に組付けられている。
【０００４】
このようなコネクタでは、第１ハウジングに対して第２ハウジングを嵌合させることにより、第２ハウジングのフランジ部に組付けられたグロメットの弾性シール片が、パネルの表面に密着し、パネルの第１ハウジング側と第２ハウジング側とを区画する。
【先行技術文献】
【特許文献】
【０００５】
【特許文献１】特開２０１０−１２９２５６号公報
【発明の概要】
【発明が解決しようとする課題】
【０００６】
しかしながら、上記特許文献１のようなコネクタでは、第１ハウジングと第２ハウジングとが嵌合した状態で、第２ハウジングの外周を覆うグロメットのリップ部がパネルに密着してしまうので、第１ハウジングと第２ハウジングとの嵌合状態を視認することができなかった。
【０００７】
このため、第１ハウジングと第２ハウジングとの嵌合状態を検知するためには、第１ハウジングと第２ハウジングとを嵌合させた後、第２ハウジングを第１ハウジングから離脱させる方向に引っ張る作業が必要となるなど、嵌合状態を検知することが煩雑になっていた。
【０００８】
そこで、この発明は、第１ハウジングと第２ハウジングとの嵌合状態を容易に検知することができるコネクタの提供を目的としている。
【課題を解決するための手段】
【０００９】
請求項１記載の発明は、パネルに組付けられる第１ハウジングと、前記第１ハウジングに嵌合可能な第２ハウジングと、前記第２ハウジングの外周を覆い前記パネルの表面に密着されるリップ部を有するグロメットと、前記第２ハウジングに回動可能に組付けられ回動により前記第１ハウジングと前記第２ハウジングとを嵌合させるレバーと、前記レバーに設けられ前記グロメットのリップ部側が組付けられ前記第１ハウジングと前記第２ハウジングとの正規嵌合状態で前記レバーの回動により前記リップ部を前記パネルに密着させる取付部とを有することを特徴とするコネクタである。
【００１０】
このコネクタでは、レバーに、グロメットのリップ部側が組付けられ第１ハウジングと第２ハウジングとの正規嵌合状態でレバーの回動によりリップ部をパネルに密着させる取付部が設けられているので、第１ハウジングと第２ハウジングとの正規嵌合状態ではレバーが正規に回動されリップ部がパネルに密着される。
【００１１】
一方、第１ハウジングと第２ハウジングとが正規に嵌合していない状態では、レバーの回動が不十分であり、リップ部がパネルに密着されない。
【００１２】
従って、このようなコネクタでは、第１ハウジングと第２ハウジングとの嵌合状態を、レバーの回動に連動する取付部に組付けられたグロメットのリップ部のパネルに対する当接の可否によって検出することができ、第１ハウジングと第２ハウジングとの嵌合状態を容易に検知することができる。
【００１３】
請求項２記載の発明は、請求項１記載のコネクタであって、前記第２ハウジングには、前記グロメットの前記リップ部側が前記取付部に跨って組付けられるフランジ部が設けられ、前記フランジ部は、前記第１ハウジングと前記第２ハウジングとの正規嵌合状態で前記リップ部を前記パネルに密着させ、前記取付部は、前記第１ハウジングと前記第２ハウジングとの正規嵌合状態で、前記パネルの平面方向に対して前記フランジ部と直線的に配置されることを特徴とする。
【００１４】
このコネクタでは、取付部が、第１ハウジングと第２ハウジングとの正規嵌合状態で、パネルの平面方向に対してフランジ部と直線的に配置されるので、第１ハウジングと第２ハウジングとの嵌合状態を、取付部とフランジ部との直線性によって容易に視認することができる。
【発明の効果】
【００１５】
本発明によれば、第１ハウジングと第２ハウジングとの嵌合状態を容易に検知することができるコネクタを提供することができるという効果を奏する。
【図面の簡単な説明】
【００１６】
【図１】本発明の実施の形態に係るコネクタの側面図である。
【図２】本発明の実施の形態に係るコネクタのグロメットを取り外した状態で第１ハウジングと第２ハウジングとが嵌合するときの側面図である。
【図３】本発明の実施の形態に係るコネクタのグロメットを取り外した状態で第１ハウジングと第２ハウジングとが嵌合したときの側面図である。
【図４】本発明の実施の形態に係るコネクタの第１ハウジングと第１端子の斜視図である。
【図５】本発明の実施の形態に係るコネクタの第１ハウジングをパネルに組付けたときの斜視図である。
【図６】本発明の実施の形態に係るコネクタの第２ハウジングとレバーと第２端子の斜視図である。
【図７】本発明の実施の形態に係るコネクタの第２ハウジングにレバーを組付けたときの側面図である。
【図８】図７に示すレバーを回動させたときの側面図である。
【発明を実施するための形態】
【００１７】
図１〜図８を用いて本発明の実施の形態に係るコネクタについて説明する。
【００１８】
本実施の形態に係るコネクタ１は、パネル３に組付けられる第１ハウジング５と、第１ハウジング５に嵌合可能な第２ハウジング７と、第２ハウジング７の外周を覆いパネル３の表面に密着されるリップ部９を有するグロメット１１と、第２ハウジング７に回動可能に組付けられ回動により第１ハウジング５と第２ハウジング７とを嵌合させるレバー１３と、レバー１３に設けられグロメット１１のリップ部９側が組付けられ第１ハウジング５と第２ハウジング７との正規嵌合状態でレバー１３の回動によりリップ部９をパネル３に密着させる取付部１５とを有する。
【００１９】
また、第２ハウジング７には、グロメット１１のリップ部９側が取付部１５に跨って組付けられるフランジ部１７が設けられている。
【００２０】
さらに、フランジ部１７は、第１ハウジング５と第２ハウジング７との正規嵌合状態でリップ部９をパネル３に密着させる。
【００２１】
そして、取付部１５は、第１ハウジング５と第２ハウジング７との正規嵌合状態で、パネル３の平面方向に対してフランジ部１７と直線的に配置される。
【００２２】
図１〜図８に示すように、パネル３は、車両のドアなどに配置され、パネル３の一面側が被水領域となっており、パネル３の他面側が車室側などの非被水領域となっている。
【００２３】
このパネル３の非被水領域側には、第１ハウジング５が配置され、被水領域側には、第２ハウジング７が配置される。
【００２４】
このようなパネル３には、一面側と他面側とを貫通して組付穴１９が設けられ、この組付穴１９に第１ハウジング５が組付けられる。
【００２５】
第１ハウジング５は、合成樹脂などの絶縁性材料からなり、端子収容室２１と、パネル取付部２３と、係止部２５とを備えている。
【００２６】
端子収容室２１は、第１ハウジング５の内部に、第２ハウジング７との嵌合方向に向けて延設され、幅方向に複数列設けられると共に、高さ方向に複数段設けられている。
【００２７】
この端子収容室２１には、電線２７の端末部に電気的に接続された箱状の接続部を有する雌型端子からなる第１端子２９がそれぞれ収容される。
【００２８】
なお、端子収容室２１内には、第１端子２９と係合する係止ランス（不図示）やスペーサ（不図示）が設けられており、端子収容室２１からの第１端子２９の抜け止めがなされる。
【００２９】
パネル取付部２３は、第１ハウジング５のパネル３側の外周に、フランジ状に形成され、外径がパネル３の組付穴１９の内径より大きく設定されている。
【００３０】
このパネル取付部２３は、第１ハウジング５をパネル取付部２３と反対側からパネル３の組付穴１９に挿入することにより、組付穴１９の縁部に当接され、第１ハウジング５の組付穴１９からの抜け止めがなされる。
【００３１】
係止部２５は、第１ハウジング５の高さ方向の両側に、それぞれ撓み可能に設けられ、第１ハウジング５をパネル３の組付穴１９に挿入した状態で、パネル３を挟んでパネル取付部２３と対向して配置される。
【００３２】
この係止部２５は、第１ハウジング５の高さ方向の一側をパネル３の組付穴１９に挿入することにより、一方の係止部２５が撓んだ後の復元力によって組付穴１９の縁部に係合され、第１ハウジング５の高さ方向の他側をパネル３の組付穴１９に挿入することにより、他方の係止部２５が撓んだ後の復元力によって組付穴１９の縁部に係合される。
【００３３】
このように係止部２５をパネル３の組付穴１９に係合させることにより、第１ハウジング５がパネル３に組付けられ、パネル３に対して第１ハウジング５が第２ハウジング７と嵌合する前の待ち受け状態が保持される。
【００３４】
第２ハウジング７は、合成樹脂などの絶縁性材料からなり、端子収容室３１と、ロックアーム３３とを備えている。
【００３５】
端子収容室３１は、第２ハウジング７の内部に、第１ハウジング５との嵌合方向に向けて延設され、幅方向に複数列設けられると共に、高さ方向に複数段設けられている。
【００３６】
この端子収容室３１には、電線３５の端末部に電気的に接続されたタブ状の接続部を有する雄型端子からなる第２端子３７がそれぞれ収容される。
【００３７】
なお、端子収容室３１内には、第２端子３７と係合する係止ランス（不図示）やスペーサ（不図示）が設けられており、端子収容室３１からの第２端子３７の抜け止めがなされる。
【００３８】
ロックアーム３３は、第２ハウジング７の高さ方向の一側に、撓み可能に設けられ、ロック部３９と、操作部４１とを備えている。
【００３９】
ロック部３９は、ロックアーム３３の中央部に突設され、第１ハウジング５と第２ハウジング７とが嵌合した状態で、ロックアーム３３が撓んだ後の復元力によって、第１ハウジング５に設けられた被ロック部（不図示）に係合される。
【００４０】
このロック部３９と被ロック部との係合により、第１ハウジング５と第２ハウジング７との嵌合解除方向の移動が規制され、第１ハウジング５と第２ハウジング７との嵌合状態を保持することができる。
【００４１】
操作部４１は、ロックアーム３３の自由端側に設けられ、下方に向けて押圧されることより、ロックアーム３３を撓ませ、ロック部３９と被ロック部との係合を解除させる。
【００４２】
この操作部４１によるロック部３９と被ロック部との係合解除により、第２ハウジング７を第１ハウジング５から取り外すことができる。
【００４３】
このような第２ハウジング７は、被水領域に配置されており、パネル３側の外周に、グロメット１１が組付けられる半円状のフランジ部１７が設けられ、その外周がグロメット１１によって覆われて防水される。
【００４４】
グロメット１１は、ゴムなどの弾性材料からなり、第２ハウジング７を収容可能なように筒状に形成された本体部４３と、本体部４３の一端側に設けられた引出部４５と、本体部４３の他端側に設けられた装着部４７と、装着部４７に隣接して設けられたリップ部９とを備えている。
【００４５】
引出部４５は、本体部４３の一側からパネル３と反対側に向けて筒状に延設され、第２ハウジング７から引き出された複数の電線３５が挿通される。
【００４６】
この引出部４５は、挿通された複数の電線３５の外周に密着され、複数の電線３５に沿って水などが本体部４３内に浸入することを防止し、本体部４３に収容された第２ハウジング７を防水する。
【００４７】
装着部４７は、本体部４３のリップ部９に対してパネル３と反対側に隣接して設けられ、第２ハウジング７より大きな外径を有するように環状に形成され、内部に周方向に連続する溝部が設けられている。
【００４８】
この装着部４７は、第２ハウジング７のフランジ部１７とレバー１３の取付部１５とに跨って、フランジ部１７と取付部１５とが溝部に密着して係合するように組付けられる。
【００４９】
リップ部９は、本体部４３の他側に弾性変形可能に環状に設けられ、第１ハウジング５と第２ハウジング７とが正規に嵌合し、レバー１３の回動が終了した状態で、パネル３の表面に密着される。
【００５０】
このリップ部９は、外径がパネル３の組付穴１９の内径や第１ハウジング５のパネル取付部２３の外径より大径に設定され、パネル３の表面に密着することにより、本体部４３に収容された第２ハウジング７を防水すると共に、パネル３の第２ハウジング７側から組付穴１９を介して第１ハウジング５側への水などの浸入を防止し、パネル３の第１ハウジング５側を防水する。
【００５１】
このようなリップ部９は、第１ハウジング５と第２ハウジング７との嵌合を補助するレバー１３の回動によって、パネル３の表面に密着される。
【００５２】
レバー１３は、合成樹脂などの絶縁性材料からなり、第１ハウジング５及び第２ハウジング７の幅より大きな幅を有するようにコ字状に形成され、軸孔４９と、係合部５１と、カム溝５３とを備えている。
【００５３】
軸孔４９は、レバー１３の両側壁の内面にそれぞれ設けられ、第２ハウジング７の両側壁にそれぞれ設けられた軸部５５に係合される。
【００５４】
この軸孔４９は、軸部５５と係合することにより、レバー１３が第２ハウジング７の外周に回動可能に組付けられる。
【００５５】
係合部５１は、レバー１３の両側壁にそれぞれ撓み可能に設けられ、第２ハウジング７の両側壁にそれぞれ突設された被係合突起５７に係合される。
【００５６】
この係合部５１は、被係合突起５７と係合することにより、第１ハウジング５と第２ハウジング７とが嵌合する前の初期位置である第２ハウジング７に対するレバー１３の仮係止位置でレバー１３を保持する。
【００５７】
カム溝５３は、レバー１３の両側壁にそれぞれ貫通して設けられ、第１ハウジング５と第２ハウジング７との嵌合時に、第１ハウジング５の両側壁にそれぞれ設けられたカムピン５９に係合される。
【００５８】
このカム溝５３は、レバー１３が第２ハウジング７の初期位置で保持された状態で、第２ハウジング７を、パネル３に組付けられた第１ハウジング５に嵌合させるときに、第１ハウジング５のカムピン５９が挿入される。
【００５９】
この状態から第２ハウジング７に対してレバー１３を回動させることにより、カムピン５９がカム溝５３に沿って移動し、第２ハウジング７が第１ハウジング５に引き込まれるように嵌合し、第１端子２９と第２端子３７とが電気的に接続される。
【００６０】
なお、第１ハウジング５と第２ハウジング７とが嵌合するとき、第１ハウジング５の側壁は、第２ハウジング７の側壁とレバー１３の側壁との間に挿入され、パネル３の組付穴１９には、レバー１３の回動を許容するために、第１ハウジング５の側壁との間に隙間が形成されている。
【００６１】
このようなレバー１３には、グロメット１１の装着部４７に装着される取付部１５が設けられている。
【００６２】
取付部１５は、レバー１３の外周に、半円のフランジ状に形成されている。
【００６３】
この取付部１５は、第１ハウジング５と第２ハウジング７とが正規に嵌合したときのレバー１３の回動終了位置で、パネル３の平面方向と平行となるように、第２ハウジング７のフランジ部１７と直線的に配置される。
【００６４】
このような取付部１５には、レバー１３が初期位置で保持されるように第２ハウジング７に組付けられた状態で、グロメット１１の装着部４７が、第２ハウジング７のフランジ部１７と跨るように組付けられる。
【００６５】
このため、グロメット１１のリップ部９は、レバー１３の取付部１５側が、パネル３に対して離間する方向に傾斜した状態で配置される。
【００６６】
このようにフランジ部１７と取付部１５とに跨ってグロメット１１が組付けられた第２ハウジング７を、パネル３に組付けられた第１ハウジング５に配置させ、レバー１３のカム溝５３と第１ハウジング５のカムピン５９とを係合させる。
【００６７】
この状態から係合部５１と被係合突起５７との係合を解除させるようにレバー１３を回動させ、カムピン５９をカム溝５３に沿って移動させるように、第１ハウジング５と第２ハウジング７とを嵌合させる。
【００６８】
第１ハウジング５と第２ハウジング７とが正規に嵌合している場合、リップ部９のフランジ部１７側は、第１ハウジング５と第２ハウジング７との嵌合方向への移動によってパネル３の表面に密着され、リップ部９の取付部１５側は、レバー１３の回動によってパネル３の表面に密着される。
【００６９】
このリップ部９のパネル３への密着により、第１ハウジング５と第２ハウジング７との正規嵌合状態を検知することができる。
【００７０】
加えて、取付部１５は、第１ハウジング５と第２ハウジング７との正規嵌合状態におけるレバー１３の回動終了位置で、フランジ部１７と直線的に配置されるので、リップ部９が直線的に配置されており、リップ部９の外観の直線性を視認することによっても、第１ハウジング５と第２ハウジング７との正規嵌合状態を検知することができる。
【００７１】
一方、第１ハウジング５と第２ハウジング７とが半嵌合状態であるときのように正規に嵌合していない場合、レバー１３の回動が不十分であり、リップ部９が全体的にパネル３に密着されない。
【００７２】
このリップ部９がパネル３から離間している状態により、第１ハウジング５と第２ハウジング７とが正規に嵌合していない状態を検知することができる。
【００７３】
加えて、取付部１５は、レバー１３の回動が不十分である場合、フランジ部１７と直線的に配置されないので、リップ部９が取付部１５側で傾斜して配置されており、リップ部９の外観からも、第１ハウジング５と第２ハウジング７とが正規に嵌合していない状態を検知することができる。
【００７４】
このようにパネル３に対するグロメット１１のリップ部９の当接の可否によって、第１ハウジング５と第２ハウジング７との嵌合状態を容易に検出することができ、第２ハウジング７を第１ハウジング５から離脱させる方向に引っ張るなどの作業が必要なく、嵌合状態の検知作業が煩雑となることがない。
【００７５】
なお、本実施の形態においては、レバー１３が第１ハウジング５の外周面側で回動するので、第１ハウジング５のカムピン５９とレバー１３のカム溝５３との係合状態を視認することができ、カムピン５９とカム溝５３との係合状態から第１ハウジング５と第２ハウジング７との嵌合状態を検出することができる。
【００７６】
また、第１ハウジング５の側壁には、レバー１３の回動終了位置で、レバー１３の係合部５１に係合される被係合突起６１が突設されており、係合部５１と被係合突起６１との係合によってレバー１３が回動終了位置で保持される。
【００７７】
このようなコネクタ１における組付けは、まず、パネル３に第１ハウジング５を組付け、第２ハウジング７にレバー１３を組付け、第２ハウジング７とレバー１３とにグロメット１１を装着する。
【００７８】
次に、第１ハウジング５に対して第２ハウジング７を配置させ、レバー１３を回動させて第１ハウジング５と第２ハウジング７とを嵌合させる。
【００７９】
そして、リップ部９がパネル３に密着している場合には、組付けを完了し、リップ部９がパネル３に当接していない場合には、リップ部９がパネル３に密着するまでレバー１３を回動させ、組付けを完了する。
【００８０】
このようなコネクタ１では、レバー１３に、グロメット１１のリップ部９側が組付けられ第１ハウジング５と第２ハウジング７との正規嵌合状態でレバー１３の回動によりリップ部９をパネル３に密着させる取付部１５が設けられているので、第１ハウジング５と第２ハウジング７との正規嵌合状態ではレバー１３が正規に回動されリップ部９がパネル３に密着される。
【００８１】
一方、第１ハウジング５と第２ハウジング７とが正規に嵌合していない状態では、レバー１３の回動が不十分であり、リップ部９がパネル３に密着されない。
【００８２】
従って、このようなコネクタ１では、第１ハウジング５と第２ハウジング７との嵌合状態を、レバー１３の回動に連動する取付部１５に組付けられたグロメット１１のリップ部９のパネル３に対する当接の可否によって検出することができ、第１ハウジング５と第２ハウジング７との嵌合状態を容易に検知することができる。
【００８３】
また、取付部１５は、第１ハウジング５と第２ハウジング７との正規嵌合状態で、パネル３の平面方向に対してフランジ部１７と直線的に配置されるので、第１ハウジング５と第２ハウジング７との嵌合状態を、取付部１５とフランジ部１７との直線性によって容易に視認することができる。
【００８４】
なお、本発明の実施の形態に係るコネクタでは、レバーが、第１ハウジングの外周面側で回動しているが、これに限らず、レバーを第１ハウジングの内部で回動するようにしてもよい。
【００８５】
この場合には、レバーが第１ハウジングの内部で回動するので、第１ハウジングの外周のレバーの回動スペースを削減することができ、小型化することができる。
【符号の説明】
【００８６】
１…コネクタ
３…パネル
５…第１ハウジング
７…第２ハウジング
９…リップ部
１１…グロメット
１３…レバー
１５…取付部
１７…フランジ部
【図１】
2020202018.tif 000003
【図２】
2020202018.tif 000004
【図３】
2020202018.tif 000005
【図４】
2020202018.tif 000006
【図５】
2020202018.tif 000007
【図６】
2020202018.tif 000008
【図７】
2020202018.tif 000009
【図８】
2020202018.tif 000010